(57)【要約】【課題】  記録媒体にホログラムを高密度に記録再生可能で比較的安価なホログラム装置を提供すること。【解決手段】  平板状の記録媒体３０に複数形成されたホログラム３１、３１にそれぞれ参照光１５を入射させる参照光装置１と、ホログラム３１からの出射光３３を受光する受光装置２とを備えたホログラム装置において、参照光装置１は発光部１０からの参照光１５を記録媒体３０の厚さ方向に複数配置されたホログラム３１、３１のうち１つに入射させるように入射位置及び角度を設定し、受光装置２に備えるピンホールフィルタ２１は参照光装置１により設定された入射位置及び角度に対応する記録媒体３０の厚さ方向いずれか１つのホログラム３１からの出射光３３のみを通過させ、他のホログラム３１からの出射光３３を遮断する。【選択図】  図１
2006058726.tif 000002
【特許請求の範囲】
【請求項１】
平板状の記録媒体に複数形成されたホログラムにそれぞれ参照光を入射させる参照光装置と、上記ホログラムからの出射光を受光する受光装置とを備えたホログラム装置において、
上記参照光装置は参照光を発光する発光部を備えると共に、該発光部からの参照光を上記記録媒体の厚さ方向に複数配置されたホログラムのうち１つに入射させるように入射位置及び角度を設定し、
上記受光装置は上記ホログラムからの出射光を受光する受光部と、該受光部と記録媒体の間に配置されるピンホールフィルタとを備え、該ピンホールフィルタは上記参照光装置により設定された入射位置及び角度に対応する上記記録媒体の厚さ方向いずれか１つのホログラムからの出射光のみを通過させ、他のホログラムからの出射光を遮断することを特徴とするホログラム装置。
【請求項２】
上記参照光装置は上記発光部からの参照光を反射させる反射面を有するミラー部を備え、該ミラー部は上記反射面の角度を変化させる回転駆動部を有し、該回転駆動部で上記反射面の参照光に対する角度を変化させることにより上記参照光の入射位置及び角度を設定することを特徴とする請求項１記載のホログラム装置。
【請求項３】
上記参照光装置は上記発光部を複数の発光素子から構成し、該各発光素子は相互に所定間隔離隔して配置してなり、上記発光素子を切り替えることにより上記参照光の入射位置及び角度を設定することを特徴とする請求項１記載のホログラム装置。
【請求項４】
上記参照光装置は上記発光部を上記記録媒体に対して上下方向に移動させる直線駆動部を備え、該直線駆動部で上記発光部の記録媒体に対する距離を変化させることにより上記参照光の入射位置及び角度を設定することを特徴とする請求項１記載のホログラム装置。
【請求項５】
上記記録媒体は上記参照光装置により複数設定される参照光の入射位置及び角度にそれぞれ対応する複数のホログラムからなるホログラム群が複数形成されてなることを特徴とする請求項１〜４のいずれか１項に記載のホログラム装置。
【請求項６】
上記発光部は上記各発光素子を直線状に近接配置してなることを特徴とする請求項３記載のホログラム装置。
【請求項７】
上記参照光装置は上記発光部からの参照光を収束光とするレンズを有することを特徴とする請求項３又は４記載のホログラム装置。
【発明の詳細な説明】
【技術分野】
【０００１】
本発明は、ホログラムとして記録媒体に記録された情報を読み出すホログラム装置に関し、特にホログラムが記録媒体の厚さ方向に形成された記録媒体から情報を読み出し可能なホログラム装置に関する。
【背景技術】
【０００２】
従来からコンピュータ等に用いられる記憶装置としては、磁気や光によって情報を記録媒体に対して２次元的に書込み、読込みを行うものが広く用いられている。磁気を用いた記録媒体としては、ハードディスクなどが知られており、光を用いた記憶装置としては、ＣＤやＤＶＤなどが知られている。これら記憶装置は、大容量化の要求に応えるため、これまでに記録密度に関して著しい進歩を果たしてきたものである。そして、さらなる大容量化のための手段として、ホログラムの原理を用いた記憶装置の開発が進められている。
【０００３】
ホログラム装置は、記録媒体に情報をページ単位でホログラムとして記録された情報を読込んで再生するものである。記録媒体には符号化されたページ単位の情報が屈折率変化等のパターンとして書き込まれている。このパターンは、記憶装置において物体光と参照光の干渉により形成されたホログラムであり、情報を記録媒体から読み出すには、発光部より参照光のみを記録媒体に入射させ、ホログラムのパターンで回折させてＣＣＤやＣＭＯＳ等の光電変換素子からなる受光部によって受光することにより、書き込まれた情報を再生することができる。このようなホログラム装置は、例えば特許文献１に記載されているものがある。
【特許文献１】特開２００３−４３９０４号公報
【０００４】
また、記録媒体の高密度化には、ホログラムの多重記録が用いられる。ホログラムの多重記録は角度多重が知られている。記録媒体に形成されたホログラムは、書込み時と同じ参照光を同じ入射角度で照射することによって読み出すことができるため、参照光の入射角度を変化させることによって同じ位置にホログラムを多重記録することができる。
【０００５】
角度多重によるホログラム装置は、参照光の角度変化用反射鏡と集光レンズとを有し、発光部からの参照光を反射鏡で反射させて、この反射光を集光レンズにより記録媒体のホログラムに入射させる。ホログラムに対する入射角度は、反射鏡の角度変化によって変化する。参照光の角度変化にはガルバノミラーが用いられ、集光レンズにはｆθレンズが用いられる。
【０００６】
このように、従来は記録媒体にホログラムを２次元的に配置し、角度多重によって同じ位置にホログラムを多重記録することで記録媒体の高密度化を図っていた。
【発明の開示】
【発明が解決しようとする課題】
【０００７】
しかし、ホログラムの多重記録には以下に述べる問題点を有している。角度多重によるホログラム装置において集光レンズとして用いるｆθレンズは高価であるため、装置のコストアップの原因であった。
【０００８】
本発明は、上記課題を鑑みてなされたものであり、記録媒体にホログラムを高密度に記録再生可能で比較的安価なホログラム装置を提供する。
【課題を解決するための手段】
【０００９】
上記課題を解決するため、本発明に係るホログラム装置は、平板状の記録媒体に複数形成されたホログラムにそれぞれ参照光を入射させる参照光装置と、上記ホログラムからの出射光を受光する受光装置とを備えたホログラム装置において、
上記参照光装置は参照光を発光する発光部を備えると共に、該発光部からの参照光を上記記録媒体の厚さ方向に複数配置されたホログラムのうち１つに入射させるように入射位置及び角度を設定し、
上記受光装置は上記ホログラムからの出射光を受光する受光部と、該受光部と記録媒体の間に配置されるピンホールフィルタとを備え、該ピンホールフィルタは上記参照光装置により設定された入射位置及び角度に対応する上記記録媒体の厚さ方向いずれか１つのホログラムからの出射光のみを通過させ、他のホログラムからの出射光を遮断することを特徴として構成されている。
【００１０】
また、本発明に係るホログラム装置は、上記参照光装置は上記発光部からの参照光を反射させる反射面を有するミラー部を備え、該ミラー部は上記反射面の角度を変化させる回転駆動部を有し、該回転駆動部で上記反射面の参照光に対する角度を変化させることにより上記参照光の入射位置及び角度を設定することを特徴として構成されている。
【００１１】
さらに、本発明に係るホログラム装置は、上記参照光装置は上記発光部を複数の発光素子から構成し、該各発光素子は相互に所定間隔離隔して配置してなり、上記発光素子を切り替えることにより上記参照光の入射位置及び角度を設定することを特徴として構成されている。
【００１２】
さらにまた、本発明に係るホログラム装置は、上記参照光装置は上記発光部を上記記録媒体に対して上下方向に移動させる直線駆動部を備え、該直線駆動部で上記発光部の記録媒体に対する距離を変化させることにより上記参照光の入射位置及び角度を設定することを特徴として構成されている。
【００１３】
また、本発明に係るホログラム装置は、上記記録媒体は上記参照光装置により複数設定される参照光の入射位置及び角度にそれぞれ対応する複数のホログラムからなるホログラム群が複数形成されてなることを特徴として構成されている。
【００１４】
さらに、本発明に係るホログラム装置は、上記発光部は上記各発光素子を直線状に近接配置してなることを特徴として構成されている。
【００１５】
さらにまた、本発明に係るホログラム装置は、上記参照光装置は上記発光部からの参照光を収束光とするレンズを有することを特徴として構成されている。
【発明の効果】
【００１６】
本発明に係るホログラム装置によれば、参照光装置は発光部からの参照光を記録媒体の厚さ方向に複数配置されたホログラムのうち１つに入射させるように入射位置及び角度を設定し、受光装置に備えるピンホールフィルタは参照光装置による設定に対応するホログラムからの出射光のみを通過させ、他のホログラムからの出射光を遮断するため、記録媒体の厚さ方向に複数配置されたホログラムをそれぞれ読み出すことができる。このため、記録媒体の記録領域を厚さ方向に拡張することができ、記録媒体にホログラムを高密度に形成することができる。
【００１７】
また、本発明に係るホログラム装置によれば、参照光装置は発光部からの参照光を反射させる反射面を有するミラー部を備え、ミラー部は反射面の角度を変化させる回転駆動部を有し、回転駆動部で反射面の参照光に対する角度を変化させることにより参照光の入射位置及び角度を設定するため、参照光を記録媒体の厚さ方向に配置された各ホログラムにそれぞれ入射させることができ、参照光装置は従来の角度多重方式において用いる集光レンズが不要であるため、従来に比べ安価な装置となる。
【００１８】
さらに、本発明に係るホログラム装置によれば、参照光装置は発光部を複数の発光素子から構成し、各発光素子は相互に所定間隔離隔して配置してなり、発光素子を切り替えることにより参照光の入射位置及び角度を設定するため、参照光を記録媒体の厚さ方向に配置された各ホログラムにそれぞれ入射させることができ、各発光素子は一つのプロセスで同時形成可能であるため製造が容易となり、従来の角度多重方式による装置に比べ安価な装置となる。
【００１９】
さらにまた、本発明に係るホログラム装置によれば、参照光装置は発光部を記録媒体に対して上下方向に移動させる直線駆動部を備え、直線駆動部で発光部の記録媒体に対する距離を変化させることにより参照光の入射位置及び角度を設定するため、参照光を記録媒体の厚さ方向に配置された各ホログラムにそれぞれ入射させることができ、直線駆動部は発光部を記録媒体に対して上下方向に移動させるだけの簡易な構造であるため、従来の角度多重方式による装置に比べ安価な装置となる。
【００２０】
また、本発明に係るホログラム装置によれば、記録媒体には参照光装置により複数設定される参照光の入射位置及び角度にそれぞれ対応する複数のホログラムからなるホログラム群が複数形成されるため、記録媒体の厚さ方向に複数のホログラムが配置されたホログラム群が複数形成されることになり、記録媒体の記録密度をさらに向上することができる。
【００２１】
さらに、本発明に係るホログラム装置によれば、発光部は各発光素子を直線状に近接配置してなるため、参照光装置による参照光の入射位置及び角度を記録媒体の厚さ方向に多数設定することができ、この設定に対応して記録媒体により多くのホログラムを形成することができるため、記録媒体の記録密度をさらに向上することができる。
【００２２】
さらにまた、本発明に係るホログラム装置によれば、参照光装置は発光部からの参照光を収束光とするため、記録媒体の厚さ方向に形成されたホログラムが隣接するホログラムと互いに一部が重複するように配置された場合でも、参照光装置により設定される参照光の各ホログラムへの入射角度は各ホログラムの重複部においてそれぞれ異なり、ピンホールフィルタによって分離可能であるため、所望のホログラムのみを読み出すことができ、記録媒体の記録密度をさらに向上することができる。
【発明を実施するための最良の形態】
【００２３】
本発明の実施形態について図面に沿って詳細に説明する。図１は本実施形態におけるホログラム装置の構成を示した概念図である。この図に示すように、本実施形態におけるホログラム装置は平板状の記録媒体３０の厚さ方向に複数形成されたホログラム３１、３１にそれぞれ参照光１５を入射させる参照光装置１と、ホログラム３１からの出射光３３を受光する受光装置２とを備える。
【００２４】
参照光装置１は参照光１５を発光する発光部１０を備え、発光部１０からの参照光１５を平行光にするレンズ１１を有している。また、参照光装置１は発光部１０からの参照光１５を反射させる反射面１３を有するミラー部１２を備え、ミラー部１２は反射面１３の角度を変化させる回転駆動部１４を有している。
【００２５】
ミラー部１２は、参照光１５を反射面１３で全反射させて参照光１５の方向を変化させる。すなわち、参照光１５はミラー部１２により記録媒体３０の厚さ方向に対する入射位置及び角度を制御され、記録媒体３０の厚さ方向に複数配置されているホログラム３１、３１にそれぞれ入射することができる。本実施形態においては、反射面１３及び回転駆動部１４を有するミラー部１２はガルバノミラーを用いる。
【００２６】
受光装置２は、記録媒体３０からの出射光３３を受光する受光部２０と、受光部２０と記録媒体３０との間に配置されるピンホールフィルタ２１とを有している。ピンホールフィルタ２１は光を通過させる貫通孔２２を有し、貫通孔２２に集光する光のみを通過させる。ここで、受光部２０にはＣＣＤやＣＭＯＳ等の受光素子を用いる。
【００２７】
本実施形態における記録媒体３０には、符号化されたページ単位の情報を有する物体光と参照光１５との干渉縞をホログラム３１として形成することで、情報を記録することができる。また、ホログラム３１を形成するのに用いた参照光１５と同じ光によって情報は再生され、読み出しが行われる。
【００２８】
本実施形態における記録媒体３０には、あらかじめ複数のホログラム３１、３１が書込まれているものとし、平板状の記録媒体３０の厚さ方向にホログラム３１が配置されている。参照光装置１に備えるミラー部１２は、参照光１５の記録媒体３０の厚さ方向に対する入射位置及び角度を設定する。記録媒体３０には、ミラー部１２により設定された参照光１５の入射位置及び角度にそれぞれ対応して記録媒体３０の厚さ方向に複数配置されたホログラム３１、３１からなるホログラム群３２が複数形成される。
【００２９】
また、記録媒体３０に形成された各ホログラム３１、３１は、参照光１５の入射位置及び角度に対応するホログラム３１からの出射光３３が、ピンホールフィルタ２１の貫通孔２２に集光するように形成されている。このため、ピンホールフィルタ２１はミラー部１２により設定された参照光１５の入射位置及び角度に対応するホログラム３１からの出射光３３のみを通過させる。
【００３０】
これにより、記録媒体３０の厚さ方向に複数配置されたホログラム３１、３１をそれぞれ読み出すことができる。このため、記録媒体３０の記録領域を厚さ方向に拡張することができ、記録媒体３０にホログラム３１を高密度に形成することができる。
【００３１】
ここで、参照光装置１は従来の角度多重方式で用いる集光レンズが不要となるため、従来に比べ安価な装置とすることができる。また、ミラー部１２に備える反射面１３は、回転駆動部１４により微小な角度変化が可能であるため、ミラー部１２による参照光１５の入射位置及び角度を多数設定することができる。したがって、記録媒体３０の厚さ方向に複数配置されてホログラム群３２を構成するホログラム３１を多数形成することができ、記録媒体３０の記録密度をさらに向上することができる。
【００３２】
記録媒体３０の厚さ方向に複数のホログラム３１、３１が配置されてなるホログラム群３２は、記録媒体３０に複数形成されている。このため、別のホログラム群３２の各ホログラム３１、３１を再生するためにはホログラム群３２を切り替えるように記録媒体３０を移動させる必要がある。本実施形態におけるホログラム装置は記録媒体３０の参照光装置１及び受光装置２に対する相対位置を移動させる図示しない駆動装置を備える。ただし、駆動装置については記録媒体３０を固定し、参照光装置１及び受光装置２を移動させる形式としてもよい。
【００３３】
本実施形態における記録媒体３０に記録された情報の読み出しについて説明する。図１に示すように、発光部１０から発光された参照光１５は、レンズ１１により平行光とされ、ミラー部１２に備える反射面１３に到達する。反射面１３は、回転駆動部１４により反射面１３の参照光１５に対する角度を変化させて、参照光１５を記録媒体３０の厚さ方向に配置されたホログラム群３２内のホログラム３１、３１のうち１つに入射させるように入射位置及び角度を設定し、対応するホログラム３１に参照光１５を入射させる。ミラー部１２により設定された参照光１５に対応するホログラム３１からの出射光３３は、ピンホールフィルタ２１を通過して、受光部２０で受光される。
【００３４】
同様に、反射面１３の参照光１５に対する角度を変化させて、参照光１５をホログラム群３２内の他のホログラム３１に入射させるように入射位置及び角度を設定し、対応するホログラム３１に参照光１５を入射させることによって、記録媒体３０の厚さ方向に形成されたホログラム群３２内のホログラム３１、３１をそれぞれ読み出すことができる。
【００３５】
また、ミラー部１２に備える反射面１３は、回転駆動部１４により微小な角度変化が可能であるため、この角度変化に対応してホログラム群３２内のホログラム３１を高密度に形成することができる。これにより、ホログラム群３２内のホログラム３１は隣接するホログラム３１と互いに一部が重複するように配置される。
【００３６】
図２は、ホログラム群３２内の互いに一部が重複する２つのホログラム３１ａ、３１ｂのうち、上部のホログラム３１ａを読み出す場合について示した断面図を簡略化したもので、参照光装置１における発光部１０及びレンズ１１と、受光装置２における受光部２０とを省略したものである。
【００３７】
ミラー部１２に備える反射面１３は、回転駆動部１４により参照光１５の入射位置及び角度を上部のホログラム３１ａに入射するように設定する。これにより、参照光１５は記録媒体３０に形成された上部のホログラム３１ａに入射する。
【００３８】
参照光１５が入射した上部のホログラム３１ａと一部が重複する下部のホログラム３１ｂはその重複部３４に参照光１５が入射するため、下部のホログラム３１ｂで上部のホログラム３１ａとの重複部３４からも光が出射する。
【００３９】
ここで、ミラー部１2により設定された参照光１５の入射位置及び角度に対応する上部のホログラム３１ａからの出射光３３ａは、ピンホールフィルタ２１の貫通孔２２に集光する。しかし、下部のホログラム３１ｂで上部のホログラム３１ａとの重複部３４は、ミラー部１２により設定された参照光１５の入射角度に対応しないため、重複部３４からの出射光３３ｂは、ピンホールフィルタ２１の貫通孔２２には集光せず、貫通孔２２からずれた位置に集光する。このため、上部のホログラム３１ａからの出射光３３ａはピンホールフィルタ２１を通過し、下部のホログラム３１ｂからの出射光３３ｂはピンホールフィルタ２１によって遮断される。したがって、上部のホログラム３１ａからの出射光３３ａのみを受光部２０で受光することができる。
【００４０】
次に、ホログラム群３２内の２つのホログラム３１ａ、３１ｂのうち下部のホログラム３１ｂを読み出す場合について説明する。図３に示すように、参照光１５は、ミラー部１２により下部のホログラム３１ｂに入射するように入射位置及び角度を設定され、下部のホログラム３１ｂに入射する。
【００４１】
ピンホールフィルタ２１は、ミラー部１２により設定された参照光１５の入射位置および角度に対応する下部のホログラム３１ｂからの出射光３３ｂのみを通過させ、ミラー部１２により設定された参照光１５の入射角度と対応しない上部のホログラム３１ａで下部のホログラム３１ｂとの重複部３４からの出射光３３ａを遮断する。したがって、受光部２０は下部のホログラム３１ｂからの出射光３３ｂのみを受光することができる。
【００４２】
次に本発明の第２の実施形態について説明する。本実施形態における参照光装置１は、図４に示すように、発光部１０は複数の発光素子１６、１６を発光部１０の基板１８上に所定の間隔だけ離隔して配置することによって構成され、各発光素子１６、１６は発光部１０の基板１８からそれぞれ垂直方向に発光する。ここで、各発光素子１６、１６は面発光レーザ等の面発光素子を用いる。また、参照光装置１は各発光素子１６、１６から出射した光を収束光にするレンズ１７を備えている。
【００４３】
本実施形態における記録媒体３０には、各発光素子１６、１６の間隔に対応して記録媒体３０の厚さ方向にホログラム３１、３１が配置されてホログラム群３２が形成されている。各発光素子１６、１６は発光部１０の基板１８からそれぞれ垂直方向に発光するため、各発光素子１６、１６からの参照光１５はそれぞれ同じ角度で記録媒体３０に入射する。したがって、参照光装置１は各発光素子１６、１６を切り替えて発光することによって参照光１５の入射位置を設定し、発光部１０からの参照光１５を記録媒体３０の厚さ方向に配置されたホログラム３１、３１にそれぞれ入射させることができる。
【００４４】
ここで、発光部１０を構成する各発光素子１６、１６は面発光レーザ等の面発光素子からなり、一つのプロセスにおいて同時形成が可能であるため製造が容易であり、従来の角度多重方式による装置に比べ安価な装置とすることができる。
【００４５】
また、各発光素子１６、１６は微小な間隔で配置することができるため、各発光素子１６、１６を直線状に近接配置することによって、この配置に対応して記録媒体３０の厚さ方向にホログラム３１を多数配置したホログラム群３２を形成することができる。したがって、記録媒体３０の記録密度をさらに向上させることができる。これにより、ホログラム群３２内のホログラム３１は隣接するホログラム３１と互いに一部が重複するように配置される。
【００４６】
図５は、ホログラム群３２内の互いに一部が重複する２つのホログラム３１ａ、３１ｂのうち、上部のホログラム３１ａを読み出す場合について示した断面図を簡略化したもので、受光装置２における受光部２０を省略したものである。
【００４７】
参照光装置１により、発光素子１６を切り替えることにより参照光１５の入射位置を上部のホログラム３１ａに入射するように設定する。これにより、参照光１５は記録媒体３０に形成された上部のホログラム３１ａに入射する。
【００４８】
参照光１５が入射した上部のホログラム３１ａと一部が重複する下部のホログラム３１ｂはその重複部３４に参照光１５が入射するため、下部のホログラム３１ｂで上部のホログラム３１ａとの重複部３４からも光が出射する。
【００４９】
ここで、発光素子１６から発光される参照光１５はレンズ１７により収束光とされるため、参照光１５を上部のホログラム３１ａに入射するように設定した際の上部のホログラム３１ａの下側の入射角度と、参照光１５を下部のホログラム３１ｂに入射するように設定した際の下部のホログラム３１ｂの上側の入射角度はそれぞれ異なる。したがって、第１の実施形態同様、ピンホールフィルタ２１によって上部のホログラム３１ａからの出射光３３ａと、下部のホログラム３１ｂで上部のホログラム３１ａとの重複部３４からの出射光３３ｂとを分離することができる。このため、設定された参照光１５の入射位置及び角度に対応する上部のホログラム３１ａからの出射光３３ａのみを受光部２０で受光することができる。
【００５０】
また、下部のホログラム３１ｂを読み出す場合は、図６に示すように発光素子１６を切り替えて参照光１５の入射位置が下部のホログラム３１ｂに入射するように設定し、参照光１５を下部のホログラム３１ｂに入射する。ピンホールフィルタ２１は、設定された参照光１５の入射位置および角度に対応する下部のホログラム３１ｂからの出射光３３ｂのみを通過させ、設定された参照光１５の入射角度と対応しない上部のホログラム３１ａで下部のホログラム３１ｂとの重複部３４からの出射光３３ａを遮断する。したがって、受光部２０は下部のホログラム３１ｂからの出射光３３ｂのみを受光することができる。
【００５１】
次に本発明の第３の実施形態について説明する。本実施形態における参照光装置１は、図７に示すように、発光部１０を記録媒体３０に対して上下方向に移動させる直線駆動部１９を備えている。また、参照光装置１は発光部１０から出射した光を収束光にするレンズ１７を備える。
【００５２】
直線駆動部１９は、発光部１０を記録媒体３０に対して上下方向に移動させるため、発光部１０からの参照光１５の記録媒体３０に対する入射方向は変化せず、参照光１５の記録媒体３０に対する入射角度は一定となる。したがって、参照光装置１は、直線駆動部１９により発光部１０を記録媒体３０に対し上下方向に移動させることによって参照光１５の記録媒体３０に対する入射位置を設定し、発光部１０からの参照光１５を記録媒体３０の厚さ方向に配置されたホログラム群３２内のホログラム３１、３１にそれぞれ入射させることができる。ここで、直線駆動部１９は発光部１０を記録媒体３０に対し上下方向に移動させるだけの簡易な構造であるため、従来の角度多重方式による装置に比べ安価な装置とすることができる。
【００５３】
また、発光部１０を直線駆動部１９により微小移動可能とすることによって、参照光１５の入射位置を多数設定することができ、この設定に対応してホログラム群３２内のホログラム３１を高密度に形成することができる。さらに、ホログラム群３２内のホログラム３１が隣接するホログラム３１と互いに一部が重複するように配置される場合にも、発光部１０からの参照光１５はレンズ１７により収束光とされるため、第２の実施形態同様、所望のホログラム３１からの出射光３３のみを受光部２０で受光することができる。
【００５４】
以上、本発明の実施形態について説明したが、本発明の適用はこの実施形態には限られず、その技術的思想の範囲内において様々に適用されうるものである。例えば、発光部１０から出射する光を分岐させ、一方の光を物体光として用いることにより、ホログラム３１の書き込み及び読み出しの両方可能なホログラム装置とすることができる。また、記録媒体３０の厚さ方向に形成されるホログラム群３２を構成するホログラム３１の数については、本実施形態に限られず、より多くのホログラム３１からなるホログラム群３２を形成することができる。
【図面の簡単な説明】
【００５５】
【図１】本実施形態におけるホログラム装置の構成を示した概念図である。
【図２】本実施形態における記録媒体に形成されたホログラム群内のホログラムのうち、上部のホログラムを読み出す場合を示した断面図である。
【図３】図２の下部のホログラムを読み出す場合を示した断面図である。
【図４】第２の実施形態におけるホログラム装置の構成を示した概念図である。
【図５】第２の実施形態における記録媒体に形成されたホログラム群内のホログラムのうち、上部のホログラムを読み出す場合を示した断面図である。
【図６】図５の下部のホログラムを読み出す場合を示した断面図である。
【図７】第３の実施形態におけるホログラム装置の構成を示した概念図である。
【符号の説明】
【００５６】
１    参照光装置
２    受光装置
１０    発光部
１２    ミラー部
１３    反射面  
１４    回転駆動部
１５    参照光
１６    発光素子
１７    レンズ
１９    直線駆動部
２０    受光部
２１    ピンホールフィルタ
２２    貫通孔
３０    記録媒体
３１    ホログラム
３２    ホログラム群
３３    出射光
３４    重複部
【図１】
2006058726.tif 000003
【図２】
2006058726.tif 000004
【図３】
2006058726.tif 000005
【図４】
2006058726.tif 000006
【図５】
2006058726.tif 000007
【図６】
2006058726.tif 000008
【図７】
2006058726.tif 000009